(57)【要約】      （修正有）【課題】人数計測機能付広告表示装置を提供する。【解決手段】店頭宣伝用表示装置の映像再生部３のＣＰＵが広告宣伝映像を再生しながら人感センサ２から入力される信号をカウントし、カウントした人数を時間・日毎にメモリー部分に記録していく事で、１つのＣＰＵで映像再生と人数カウントの２つの処理を行う事を特徴とする人数計測装置付広告表示装置である。【選択図】図１
2010097154.tif 000002
【特許請求の範囲】
【請求項１】
広告を宣伝する画像表示用の電子画像表示装置部１と人感センサ２と映像・音声を再生させる再生装置部３を有し、内部メモリ部５は再生装置部３に対して映像・音声を表示する信号を伝送する。また再生装置部３が人感センサ部２から送られてくる信号を受信して内部メモリ部５に時系列的に通行人数を記録をしていく事を特徴とした人数計測機能付広告画像宣伝装置。
【請求項２】
前記人感センサは人感センサ部を動体が通行した際に再生装置部３に信号を送る事を特徴とする請求項１に記載の人数計測機能付広告画像宣伝装置。
【請求項３】
前記電子画像表示装置１は再生装置部３から送られてくる映像・音声を表示する事を特徴とした請求項１に記載の人数計測機能付広告画像宣伝装置。
【請求項４】
前記再生装置３は内部メモリに入っている画像・音声データを電子画像表示装置１に送る事を特徴とした請求項１に記載の人数計測機能付広告画像宣伝装置。
【請求項５】
前期内部メモリ部５は映像データ・テキスト・音声データを記録・書出しする事を特徴とした請求項１に記載の人数計測機能付広告画像宣伝装置。
【発明の詳細な説明】
【技術分野】
【０００１】  本発明は、店頭において商品の広告宣伝と通行人数データ集計を目的とする人数計測機能付広告宣伝用映像表示装置に関する。
【背景技術】
【０００２】  従来の広告宣伝用映像表示装置として、店頭動画広告宣伝用表示装置やＤＶＤプレイヤから画像表示装置に信号を送って、広告を画像表示装置に表示させる広告が知られている（例えば、特許文献１参照。）。
人数計測装置としては店舗の入口などに設置して店舗の来客数を調べる装置や通行人数を人間の目で数える事が知られている
【特許文献１】特許２９２１３６１号広報
【発明の開示】
【発明が解決しようとする課題】
【０００３】  今まで店頭での人数カウンタは人数カウンタのみ、又は広告宣伝用表示装置は特許第２９２１３６１号に見られる様な広告表示装置のみの製品であり、人数カウンタと広告宣伝用表示装置を別々に導入するには設置スペースや導入コストなどが嵩んでしまっていた。また、人数カウンタと広告宣伝用表示装置は製品が別々の為、人数を記録するメモリ部分と広告宣伝用表示装置の映像を再生させる記憶メモリ領域は製品が異なるので、別々のメモリ媒体に出力しなければならず、作業自体も煩雑になる傾向があった。【０００４】
2010097154.tif 000003
センサからの信号をメモリ部に記録する事により、画像広告宣伝用表示装置単体だけで通行人数を計測する事を目的とする。
【課題を解決するための手段】
【０００５】  店頭宣伝用表示装置の映像再生装置部が広告宣伝映像を再生しながら、動体が通行した事を感知した人感センサ部から伝達された信号を計測し、計測した人数を時間・日毎にメモリ記憶領域部分に記録していく事で、再生装置部が人感センサからの信号を計測するという再生以外の処理を行う事を特徴とする人数計測装置付広告表示装置である。【０００６】  また、本発明の第２発明は人感センサ部２と映像再生装置３を広告表示装置内に収める事を特徴とする人数計測機能付広告表示装置である。【０００７】  また、本発明の第３発明は人感センサー部Ａと映像再生装置Ｂと映像を記録されいるメモリ領域Ｃ部は人感センサの計測人数を記録する事も兼ね備えた事を特徴とする人数計測機能付広告表示装置である。【０００８】  また、本発明の人数計測機能付広告宣伝用映像表示装置は店頭商品棚の前部に固定される事が好ましい。【０００９】  この構成により、本発明の人数計測機能付広告宣伝用映像表示装置は広告映像提供者が記憶領域部分に蓄積された通行人数情報を元に広告効果を推し量る事が出来る。【００１０】  また、本発明の人数計測機能付広告宣伝用映像表示装置の人感センサ部と映像再生装置部とメモリ記憶領域は同一の基板上に設置される事が好ましい。【００１１】  また、本発明の人数計測機能付広告宣伝用映像表示装置は電子画像表示装置部と映像再生装置部と人感センサ部は１つの筐体内に収められている事が好ましい。【００１２】  また、本発明の人数計測機能付広告宣伝用映像表示装置は商品広告宣伝主だけでなく、店舗・施設内の通路の通過人数を計測する事が出来る。【００１３】  また、本発明の人数計測機能付広告宣伝用映像表示装置人感センサー部は感知する距離を変更できる事が好ましい。【００１４】  また、本発明の人数計測機能付広告宣伝用映像表示装置はスタンドにより角度を調整出来ることが好ましい。【００１５】  この構成により、本発明の人数計測機能付広告宣伝用映像表示装置は最も人の感知が出来る状態を維持することができる。【００１６】  また、本発明の人数計測機能付広告宣伝用映像表示装置にはインターネット接続可能な装置を有しており、インターネットを通じて広告効果を測定し、自動で広告効果の高い広告を優先して放送する事が好ましい。【００１７】この構成により、本発明の広告宣伝用表示装置は、本機が設置された施設に行ってメモリ内部のデータを見る事なく、遠隔にてメモリ内のデータの読込・書込みをする事ができる事が好ましい。
【発明の効果】
【００１８】  本発明によれば、従来と同じ材料コストで人感センサー部を追加するだけで広告宣伝効果測定を提供することができる。また、人数計測装置と広告映像表示装置を１つの筐体内に収める事が出来る為、設置スペースを少なくする事が出来る。
【発明を実施するための最良の形態】
【００１９】  以下、本発明の実施の形態について、図面を用いて説明する。【００２０】  （第１の実施の形態）
まず、本実施の形態に係る人数計測機能付広告宣伝用映像表示装置としての効果測定可能な構成について説明する。【００２１】  図１に係る画像広告表示装置は店頭商品棚什器に設置されるものである【００２２】  図１に示すように、人数計測機能付広告宣伝用映像表示装置は画像・音声再生装置部３と人感センサ２と電子画像表示装置部１とスピーカ部４を有しており、同一の筐体内に収められている。【００２３】画像・音声再生装置部３は人感センサー２から送られてくる信号の数を時間毎に記録するメモリー５を有している。【００２４】図１に示すように人数計測機能付広告宣伝用映像表示装置はＬＡＮコネクター６（ＲＪ４５）を有しており、店舗のネットワーク（ＬＡＮ）やインターネット（ＷＡＮ）に接続する機能を有している。【００２５】図１に示すように動画再生装置はメモリー部を有しており、画像・動画・音声ファイルをメモリーカードに入れることによって動画再生装置はメモリーカードから読込んだデータを電子画像表示装置部１に動画・画像の表示・スピーカ４に音声の再生をする事が出来る。【００２６】図１に示すように画像表示装置はメモリー部５を有しており、人感センサー２でカウントした人数を時間・日別に集計した情報をメモリーカードに記録して、メモリーを取り出す事により、別の電子機器に挿す事で集計結果を店舗内でＬＡＮやＷＡＮを介さずに集計する事が出来る。
【図面の簡単な説明】
【００２７】
【図１】本発明の第１の実施の形態に係る人数計測機能付広告宣伝用映像表示装置の筐体内部図
【符号の説明】
【００２８】１  電子画像表示装置
２  人感センサー
３  再生装置部
４  スピーカー
５  メモリー部
６  ＬＡＮコネクター部（ＲＪ４５）
【図１】
2010097154.tif 000004